(57)【要約】  質量校正部（４２）はマススペクトルデータが得られる毎に、m/z値が既知である内部標準物質由来のピークの出現位置を利用して質量ずれ量を求め、これを補正する処理を行う。質量校正情報収集部（４３）はマススペクトルデータ毎の質量ずれ量や質量補正量を収集し、測定終了後に３次元表示情報作成部（４４）は、包括的２次元ＬＣ部（１）における１次カラムの保持時間と２次カラムの保持時間とを直交する２軸とし、その２軸に直交する軸に質量補正量をとった３次元空間に、収集した多数の質量補正量をプロット点として配置した３次元グラフを作成する。これにより、分離特性が相違する各カラムの保持時間と質量ずれ量との関係が一目で分かるようになり、例えば、測定実行中に質量ずれ量が異常に増加したような状況を容易に把握することができる。
2016103388.tif 000002
【特許請求の範囲】
【請求項１】
一つの試料に対し、実空間又は仮想的な空間であるＮ次元空間（Ｎは２以上の整数）上の各微小領域における分析を実行して信号強度値であるデータを取得する分析装置であって、
a)前記微小領域それぞれにおける分析実行時に、分析に関する誤差量又はこの誤差を補正するための補正情報を収集する誤差情報収集部と、
b)前記Ｎ次元空間を形成するＮ個の軸に前記誤差量又は補正情報を示す軸を加えたＮ＋１次元の空間に、前記誤差情報収集部により収集された微小領域毎の誤差量又は補正情報に基づく分布を示すグラフを作成して表示部の画面上に表示するグラフ作成部と、
を備えることを特徴とする分析装置。
【請求項２】
請求項１に記載の分析装置であって、
各微小領域における分析データは、質量分析装置を検出器として用いた包括的２次元ガスクロマトグラフ又は包括的２次元液体クロマトグラフにより得られたデータであり、Ｎが２である２次元空間の二つの軸はいずれも保持時間で、第３の軸は質量電荷比のずれ又は該ずれを補正する補正情報であることを特徴とする分析装置。
【請求項３】
請求項１に記載の分析装置であって、
各微小領域における分析データは、包括的２次元ガスクロマトグラフ又は包括的２次元液体クロマトグラフにより得られたデータであり、Ｎが２である２次元空間の二つの軸はいずれも保持時間で、第３の軸は保持時間のずれ又は該ずれを補正する補正情報であることを特徴とする分析装置。
【請求項４】
請求項１に記載の分析装置であって、
各微小領域における分析データは、イメージング質量分析装置により得られたデータであり、Ｎが２である２次元空間の二つの軸は試料上の異なる方向の位置情報であり、第３の軸は質量電荷比のずれ又は該ずれを補正する補正情報であることを特徴とする分析装置。
【請求項５】
一つの試料に対し、実空間又は仮想的な空間であるＮ次元空間（Ｎは２以上の整数）上の各微小領域における分析を実行して信号強度値であるデータを取得する分析装置であって、
a)複数の試料について又は一つの試料中の複数の成分について、前記微小領域それぞれにおける分析により得られた信号強度値又はその信号強度値から所定の演算によって得られる物理量若しくは統計量の差異を示す差異情報を該微小領域毎に算出する差情報取得部と、
b)前記Ｎ次元空間を形成するＮ個の軸に差異情報を示す軸を加えたＮ＋１次元の空間に、前記差情報取得により算出された微小領域毎の差異情報に基づく分布を示すグラフを作成して表示部の画面上に表示するグラフ作成部と、
を備えることを特徴とする分析装置。
【発明の詳細な説明】
【技術分野】
【０００１】
本発明は表示機能を有する分析装置に関し、さらに詳しくは、包括的２次元ガスクロマトグラフ、包括的２次元液体クロマトグラフ、これらクロマトグラフと質量分析装置とを組み合わせた包括的２次元ガスクロマトグラフ質量分析装置や包括的２次元液体クロマトグラフ質量分析装置、或いは、イメージング質量分析装置などに好適な分析装置に関する。
【背景技術】
【０００２】
ガスクロマトグラフ（ＧＣ）や液体クロマトグラフ（ＬＣ）の検出器として質量分析装置を用いたガスクロマトグラフ質量分析装置（ＧＣ−ＭＳ）や液体クロマトグラフ質量分析装置（ＬＣ−ＭＳ）では、クロマトグラフのカラムで時間的に分離された成分を含む試料を、質量分析装置において繰り返し測定する。該質量分析装置において例えば所定質量電荷比m/z範囲に亘るスキャン測定を繰り返す場合には、各スキャン測定に対応してそれぞれ所定質量電荷比範囲のマススペクトルを示すデータが得られる。或る成分を含む試料が質量分析装置に導入されたときに得られるマススペクトルには、その成分由来のピークが現れる。そこで、クロマトグラフにおける成分の溶出時間（つまりは保持時間）以外に、マススペクトルに現れているピークパターンを解析することで、未知の成分を同定することができる。【０００３】
質量分析装置には、四重極型、飛行時間型、イオントラップ型、フーリエ変換イオンサイクロトロン共鳴型など様々な方式の装置があるが、いずれの装置でも、周囲温度の変化など様々な要因によって質量ずれ（測定上の質量電荷比と真の質量電荷比との差異）が生じる。通常、こうした質量ずれは正確な質量電荷比が既知である特定の物質（例えば標準物質）を測定した結果に基づいて算出され、算出された質量ずれが無くなるようにデータ処理において補正が行われる。クロマトグラフ質量分析装置では、試料をクロマトグラフに導入した時点から時間が経過するに伴い質量ずれ量が変化することがよくあり、高い分析精度が要求される場合には、そうした時間経過に伴う質量ずれをほぼリアルタイムで補正する必要がある。特許文献１に記載のように、こうした質量ずれの補正は、クロマトグラフで成分分離された試料に対し内部標準物質を連続的に添加しながら質量分析を行い、その内部標準物質が検出される質量電荷比を利用して行うことができる。【０００４】
こうした質量ずれの補正が可能である場合でも、測定途中で質量ずれが極端に大きくなるような状況は正常な状況であるとはいえず、何らかの不具合が生じている可能性がある。そのため、質量ずれ量又は質量ずれを補正するための質量補正量の時間的な変動を観察することによって、測定が適切に行われたか否かを確認したり検証したりしたいことがある。そのために、従来、例えば図４に示すように、保持時間と質量補正量との関係をグラフとして表示することが可能な装置が知られている（非特許文献１のFig.4、非特許文献２の第9頁など参照）。こうしたグラフにより、分析者は、例えば測定途中で質量補正量が或る値以上に大きくなることがあったか否かを一目で把握することができ、測定の信頼性を確認するうえで便利である。【０００５】
ところで、ＧＣ分析手法の一つとして、包括的２次元ＧＣ、或いは、ＧＣ×ＧＣ、と呼ばれる手法が知られている（特許文献２など参照）。包括的２次元ＧＣでは、目的試料に含まれる各種成分を１次元目のカラム（以下「１次カラム」という）でまず分離し、その溶出成分をモジュレータに導入する。モジュレータは、導入された成分を一定のモジュレーション時間（通常、数秒〜十数秒程度）毎に捕集した後にごく狭い時間バンド幅で離脱させ、２次元目のカラム（以下「２次カラム」という）に導入する、という操作を繰り返す。一般に、１次カラムでは、通常のＧＣと同様の又は通常のＧＣよりもやや緩慢な溶出が行える分離条件で以て成分分離が行われる。これに対し、２次カラムとしては１次カラムとは異なる極性で且つ短く内径が小さいカラムが使用され、決められたモジュレーション時間内で溶出が終了するような条件で以て成分分離が行われる。このようにして包括的２次元ＧＣでは、１次カラムで分離されずにピークが重なり合っている複数の成分を２次カラムで分離することができ、通常のＧＣに比べて分離性能が大幅に向上する。【０００６】
また、ＬＣ分析においても、上記包括的２次元ＧＣと同様に、分離特性が相違する２段のカラムを用いた包括的２次元ＬＣ或いはＬＣ×ＬＣと呼ばれる手法が知られている。本明細書では、包括的２次元ＧＣと包括的２次元ＬＣとを合わせて包括的２次元クロマトグラフと呼ぶ。【０００７】
これら包括的２次元クロマトグラフでは、２次カラムにおける保持時間（２次元目保持時間ＲＴ２）は１次カラムにおける保持時間（１次元目保持時間ＲＴ１）におけるごく狭い時間範囲を拡大したものであるので、通常のクロマトグラフと同様のクロマトグラムで測定結果を表すことができる。しかしながら、多くの場合、二つのカラムの分離特性は相違するため、１次元的なクロマトグラムでは各カラムでの分離状態を把握しにくい。そこで、各カラムでの分離状態をそれぞれ分かり易く示すために、１次元目保持時間ＲＴ１と２次元目保持時間ＲＴ２とをそれぞれ直交する二つの軸とし、信号強度を等高線やカラースケール或いはグレイスケールで表した２次元クロマトグラムが作成される。２次元クロマトグラムを作成するためのデータ処理ソフトウエアとしては、米国ジーシー・イメージ社（GC Image LLC）が提供している「GC Image」（非特許文献３参照）がよく知られている。【０００８】
最近では、包括的２次元ＧＣや包括的２次元ＬＣにおいても、質量分析装置が検出器として使用されることが多い。そうした包括的２次元クロマトグラフ質量分析装置において、略リアルタイムで質量ずれの補正が実施される場合、保持時間と質量ずれ量や質量補正量との関係を図４に示したように描出することは可能である。しかしながら、上述したように、包括的２次元クロマトグラフでは多くの場合、二つのカラムの分離特性が相違するため、図４に示すように質量ずれ情報を表示しても、独立した二本のカラムそれぞれの保持時間と質量ずれとの関係などを把握しにくいという問題があった。また、質量ずれ情報のみならず、例えばクロマトグラフでの保持時間ずれ（測定上の保持時間と真の保持時間との差異）についても同様の問題があった。【０００９】
一方、特許文献３に開示されているような、生体試料の測定に頻用されるイメージング質量分析装置では、試料上の２次元領域中の多数の微小領域それぞれについてマススペクトルやＭＳnスペクトルを取得することができ、その結果から、測定対象の２次元領域に対応する特定の質量電荷比の信号強度分布を示すマッピング画像を作成することができる。こうした装置では、例えば試料を移動させながら多数の微小領域についての質量分析を順番に実行するから、一つの試料に対する測定を開始してから終了するまでに或る程度時間が掛かり、その間に質量ずれが変動する可能性がある。しかしながら、従来のイメージング質量分析装置では、各微小領域における質量分析の際の質量ずれ量や質量補正量を分かり易く表示することは行われていなかった。【００１０】
また、包括的２次元クロマトグラフやイメージング質量分析装置では、複数の試料に対する分析結果の差異や同じ試料中の異なる成分に対する分析結果の差異、或いは、複数の試料に対する分析結果からそれぞれ計算される種々の物理量や統計量の差異や同じ試料中の異なる成分に対する分析結果からそれぞれ計算される種々の物理量や統計量の差異などを、分析者が直感的に把握し易いように表示することも行われていなかった。
【先行技術文献】
【特許文献】
【００１１】
【特許文献１】特開２００１−２８２５２号公報
【特許文献２】特開２０１１−１２２８２２号公報
【特許文献３】特開２００９−２５２６８号公報
【非特許文献】
【００１２】
【非特許文献１】アレクサンダー・マカロフ（Alexsander Makarov）、ほか３名、「ダイナミック・レンジ・オブ・マス・アキュラシー・イン・エルティキュー・オービトラップ・ハイブリッド・マス・スペクトロメーター（Dynamic Range of Mass Accuracy in LTQ Orbitrap Hybrid Mass Spectrometer）」、ジャーナル・オブ・アメリカン・ソサイエティー・フォー・マス・スペクトロメトリー（J. Am. Soc. Mass Spectrom.）、Vol. 17、7、July 2006年、pp.977?982、インターネット＜URL: http://www.sciencedirect.com/science/article/pii/S1044030506002686＞
【非特許文献２】「ベンチトフ（BenchTOF）」、マークス・インターナショナル（Markes International）社、［平成２６年年１２月５日検索］、インターネット＜URL: http://www.labicom.cz/administrace/ckfinder/userfiles/files/BenchTOF_series_brochure.pdf＞
【非特許文献３】「GC Image  GCxGC Software」、[online]、米国GC Image LLC、［平成２６年１１月１０日検索］、インターネット＜URL : http://www.gcimage.com/gcxgc/index.html＞
【発明の概要】
【発明が解決しようとする課題】
【００１３】
本発明は上記のような課題に鑑みて成されたものであり、その主な目的は、包括的２次元クロマトグラフ質量分析装置やイメージング質量分析装置などの分析装置において、質量ずれや保持時間ずれなどの測定上現れる様々な誤差量やこれを補正するための補正量といった処理上のパラメータの時間的な変動、或いはそれらの空間的な分布を分かり易く分析者に提示することができる分析装置を提供することである。【００１４】
また、本発明の他の目的は、包括的２次元クロマトグラフ質量分析装置やイメージング質量分析装置などの分析装置において、複数の試料に対する分析結果の差異や同じ試料中の異なる成分に対する分析結果の差異、或いは、複数の試料に対する分析結果からそれぞれ計算される種々の物理量や統計量の差異や同じ試料中の異なる成分に対する分析結果からそれぞれ計算される種々の物理量や統計量の差異などを、分かり易く分析者に提示することができる分析装置を提供することである。
【課題を解決するための手段】
【００１５】
上記課題を解決するために成された本発明の第１の態様は、一つの試料に対し、実空間又は仮想的な空間であるＮ次元空間（Ｎは２以上の整数）上の各微小領域における分析を実行して信号強度値であるデータを取得する分析装置であって、
a)前記微小領域それぞれにおける分析実行時に、分析に関する誤差量又はこの誤差を補正するための補正情報を収集する誤差情報収集部と、
b)前記Ｎ次元空間を形成するＮ個の軸に前記誤差量又は補正情報を示す軸を加えたＮ＋１次元の空間に、前記誤差情報収集部により収集された微小領域毎の誤差量又は補正情報に基づく分布を示すグラフを作成して表示部の画面上に表示するグラフ作成部と、
を備えることを特徴としている。【００１６】
ここで、補正情報とは、誤差を補正するための補正量そのものである場合もあるし、或いは、誤差を補正するための補正式の係数などでもよい。【００１７】
本発明に係る分析装置が、質量分析装置を検出器として用いた包括的２次元ＧＣ又は包括的２次元ＬＣである場合、Ｎが２である２次元空間の二つの軸はいずれも保持時間である。このとき、前記誤差量は、質量分析装置における質量ずれ、又は包括的２次元ＧＣ若しくは包括的２次元ＬＣにおける保持時間ずれとすればよい。質量ずれは例えば、クロマトグラフによる分離後の試料に添加した正確な質量電荷比が既知である内部標準物質を質量分析した結果に基づき求めることができる。一方、保持時間ずれは例えば、クロマトグラフによる分離前の試料に添加した正確な保持時間が既知である内部標準物質を質量分析した結果に基づき、さらに移動相の流速などを考慮したものである。なお、この場合、２次元空間は仮想的な空間である。【００１８】
また本発明に係る分析装置がイメージング質量分析装置である場合、Ｎが２である２次元空間の二つの軸は試料上の異なる方向の位置情報であるものとすることができる。この場合、２次元空間は当然、実空間である。このとき、前記誤差量は、質量分析装置における質量ずれである。【００１９】
本発明に係る分析装置が質量分析装置を検出器として用いた包括的２次元ＬＣであり、前記誤差量が質量ずれである場合、誤差情報収集部は、１次カラムにおける保持時間と２次カラムにおける保持時間との組に対する質量ずれ量や補正情報を収集する。上述したように、質量ずれは、質量分析装置に導入される試料に対し連続的に添加される内部標準物質を質量分析により検出した結果に基づいて算出することができる。誤差情報収集部では質量ずれ量の２次元的な分布が得られるから、グラフ作成部は、二つの保持時間と質量ずれ量とを軸とする３次元空間に、質量ずれ量の分布を表現するグラフを作成し、該グラフを表示部の画面上に表示する。このグラフは、保持時間の組に対する質量ずれ量を単に３次元空間にプロット点で表したものでもよいし、そのプロット点が載る仮想的な曲面を作成して３次元空間に描出してもよい。【００２０】
こうした表示により、分析者は、質量ずれ量や保持時間ずれ量などの時間的な変動や空間的な分布を直感的に把握することができ、例えば測定実行中に異常な状態が生じていないかどうか等の確認を簡単に行うことができる。
ここで、表示画面上に表示されるグラフは、分析者による適宜の操作に応じて、任意の軸を中心に任意の角度だけ回転可能であることが望ましい。それによって、分析者は任意の方向から誤差量や補正情報の分布を観察することができ、例えば質量ずれが所定範囲内に収まっているか否かといった確認を容易に行うことができる。
また、グラフ表示の際に、予め設定した値の範囲を逸脱している誤差量や補正情報を他と区別できるように、ブロット点や面の表示の態様、典型的には表示色を変えるようにしてもよい。【００２１】
上記本発明の第１の態様に係る分析装置では、誤差量や補正情報の分布を３次元以上のグラフで表していたが、分析によって得られた信号強度値の比較結果や信号強度から計算される量や値を同様のグラフで表示することもできる。【００２２】
即ち、上記課題を解決するために成された本発明の第２の態様は、一つの試料に対し、実空間又は仮想的な空間であるＮ次元空間（Ｎは２以上の整数）上の各微小領域における分析を実行して信号強度値であるデータを取得する分析装置であって、
a)複数の試料について又は一つの試料中の複数の成分について、前記微小領域それぞれにおける分析により得られた信号強度値又はその信号強度値から所定の演算によって得られる物理量若しくは統計量の差異を示す差異情報を該微小領域毎に算出する差情報取得部と、
b)前記Ｎ次元空間を形成するＮ個の軸に差異情報を示す軸を加えたＮ＋１次元の空間に、前記差情報取得により算出された微小領域毎の差異情報に基づく分布を示すグラフを作成して表示部の画面上に表示するグラフ作成部と、
を備えることを特徴としている。【００２３】
ここで、差異情報とは、或る二つの信号強度値や物理量、統計量などの比較が可能な情報であればよく、単なる差のみならず比でもよい。【００２４】
本発明に係る分析装置が、質量分析装置を検出器として用いた包括的２次元ＧＣ又は包括的２次元ＬＣである場合やイメージング質量分析装置である場合、複数の試料について前記微小領域それぞれにおける分析により得られた信号強度値とは、例えば特定の質量電荷比における信号強度値又は全質量電荷比範囲に亘る信号強度値の積算値（トータルイオン電流値）である。一方、その場合の一つの試料中の複数の成分について前記微小領域それぞれにおける分析により得られた信号強度値とは、例えば異なる成分にそれぞれ対応する質量電荷比における信号強度値である。【００２５】
また、信号強度値から所定の演算によって得られる物理量とは例えば成分の濃度や含有量である。信号強度値から所定の演算によって得られる統計量とは例えば検定量、統計空間上の座標位置や距離などである。【００２６】
本発明に係る分析装置が質量分析装置を検出器として用いた包括的２次元ＬＣである場合、差異情報取得部は、例えば或る二つの試料について時間が経過するに伴い繰り返し得られたマススペクトルデータの中で着目する特定の質量電荷比における信号強度値を取得し、保持時間毎にその二つの試料における信号強度値の差異を計算により求める。差異情報取得部では信号強度値の差異量の２次元的な分布が得られるから、グラフ作成部は、二つの保持時間と差異量とを軸とする３次元空間に、差異量の分布を表現するグラフを作成し、該グラフを表示部の画面上に表示する。このグラフは、保持時間の組に対する差異量を単に３次元空間にプロット点で表したものでもよいし、そのプロット点が載る仮想的な曲面を作成して３次元空間に描出してもよい。【００２７】
こうした表示により、分析者は、二つの試料の間の信号強度値の差異などの時間的な変動や空間的な分布を直感的に把握することができる。
【発明の効果】
【００２８】
本発明の第１の態様である分析装置によれば、包括的２次元クロマトグラフ質量分析装置やイメージング質量分析装置などにおいて、質量ずれや保持時間ずれなどの測定上現れる様々な誤差量やこれを補正するための補正量といった処理上のパラメータの時間的な変動、或いはそれらの空間的な分布を分かり易く分析者に提示することができる。それによって、分析者は、例えば測定が適切に行われたか否かを一目で確認することができる。【００２９】
また、本発明の第２の態様である分析装置によれば、包括的２次元クロマトグラフ質量分析装置やイメージング質量分析装置などにおいて、複数の試料に対する分析結果の差異や同じ試料中の異なる成分に対する分析結果の差異、或いは、複数の試料に対する分析結果からそれぞれ計算される種々の物理量や統計量の差異や同じ試料中の異なる成分に対する分析結果からそれぞれ計算される種々の物理量や統計量の差異などを、分かり易く分析者に提示することができる。
【図面の簡単な説明】
【００３０】
【図１】本発明の一実施例（第１実施例）である包括的２次元ＬＣ−ＭＳシステムの概略構成図。
【図２】第１実施例の包括的２次元ＬＣ−ＭＳシステムにおいて測定によって得られるデータの概略図。
【図３】第１実施例の包括的２次元ＬＣ−ＭＳシステムにおける質量補正量３次元表示の一例を示す図。
【図４】従来の質量補正量表示の一例を示す図。
【図５】本発明の他の実施例（第２実施例）である包括的２次元ＬＣ−ＭＳシステムの概略構成図。
【図６】第２実施例の包括的２次元ＬＣ−ＭＳシステムにおいて信号強度値差を表示する処理の説明図。
【図７】第２実施例のシステムをイメージング質量分析装置に適用したときに得られるイメージング画像の一例を示す図。
【発明を実施するための形態】
【００３１】
本発明の第１実施例である包括的２次元ＬＣ−ＭＳシステムについて、添付図面を参照して説明する。
図１は第１実施例の包括的２次元ＬＣ−ＭＳシステムの概略構成図である。
【００３２】
第１実施例の包括的２次元ＬＣ−ＭＳシステムは、包括的２次元ＬＣ部１、質量分析装置２、内部標準物質添加部３、データ処理部４、入力部５、及び表示部６、を備える。
データ処理部４は後述する特徴的な処理を実行するために、機能ブロックとして、スペクトルデータ収集部４１、質量校正部４２、質量校正情報収集部４３、及び、３次元表示情報作成部４４、を備える。
データ処理部４は、パーソナルコンピュータをハードウエア資源とし、そのパーソナルコンピュータに予めインストールされた専用の処理ソフトウエアを該コンピュータで実行することによりそれぞれの機能が実現されるものとすることができる。
【００３３】
図示しないが、包括的２次元ＬＣ部１は、移動相を送給するポンプ、移動相中に試料を注入するインジェクタ、１次カラム、該１次カラムの出口から溶出する成分を一定のモジュレーション時間間隔で捕集し時間的に圧縮して送り出すモジュレータ、及び、１次カラムとは異なる分離特性（典型的には異なる極性）を有する高速分離可能な２次カラム、を含む。ポンプの作用により１次カラムに一定流量で送られる移動相中にインジェクタから注入された試料に含まれる各種成分は、１次、２次の２段階のカラムによって、高い分離能で以て時間的に分離されて溶出する。そして、その溶出液が内部標準物質添加部３を経て質量分析装置２へと連続的に導入される。
【００３４】
内部標準物質添加部３は、正確な質量電荷比値が既知であり且つ目的試料中に存在しないことが明らかである標準物質を、溶出液中に所定量ずつ連続的に添加する。したがって、質量分析装置２に導入される試料には、包括的２次元ＬＣ部１からの溶出液に含まれる成分と内部標準物質とが含まれる。なお、標準物質は一種類でもよいが、場合によっては、低質量電荷比と高質量電荷比とで質量ずれ量が異なることもあるため、質量電荷比が相違する複数の標準物質を利用することが好ましい。
【００３５】
質量分析装置２は、例えば、エレクトロスプレーイオン化（ＥＳＩ）法などの大気圧イオン源を備えた四重極型質量分析装置である。ただし、質量分析装置２はこれに限るものではなく、Ｑ−ＴＯＦ型質量分析装置、イオントラップ飛行時間型質量分析装置など、他の構成の質量分析装置に置き換えることができる。
【００３６】
質量分析装置２において、導入される試料中の成分は大気圧イオン源で順次イオン化される。こうして生成されたイオンが四重極マスフィルタに導入され、該四重極マスフィルタを通過した特定の質量電荷比を有するイオンがイオン検出器に到達して検出される。ここでは、図示しない制御部により、四重極マスフィルタは所定の質量電荷比範囲のスキャン測定が繰り返されるように駆動される。データ処理部４のスペクトルデータ収集部４１は、分析開始時点から終了時点まで、所定質量電荷比範囲に亘るイオン強度を示すマススペクトルデータを繰り返し収集する。
【００３７】
図２は、第１実施例の包括的２次元ＬＣ−ＭＳシステムにおける測定によって得られるマススペクトルデータの概略図である。
上述したように、試料に含まれる各種成分は包括的２次元ＬＣ部１において時間方向に高い分離能で分離され、質量分析装置２ではスキャン測定が繰り返し実施される。それによって、スペクトルデータ収集部４１には、図２に示すように、１次元目保持時間ＲＴ１と２次元目保持時間ＲＴ２という二つの時間軸を有する仮想的な空間上の各微小領域（図２（ａ）中で斜線で示した矩形状の範囲であるピクセル）に対応するマススペクトルデータが格納される。一つの微小領域におけるマススペクトルデータは図２（ｂ）に示すように、質量電荷比m/zとイオン強度との関係を示すマススペクトルを構成するデータである。
【００３８】
上述したように、質量分析の対象には内部標準物質が必ず含まれる。そのため、スキャン測定毎に得られるマススペクトルには内部標準物質由来のピークＰが現れる。何らかの要因によって測定上の質量電荷比にずれが生じる場合には、マススペクトル上で内部標準物質由来のピークＰの出現位置もずれるから、その出現位置（つまり見かけ上の質量電荷比値）と既知である真の質量電荷比値との差が質量ずれ量となる。そこで、データ処理部４において質量校正部４２は、マススペクトルが得られる毎に内部標準物質由来のピークＰの出現位置を検出し、その検出結果を利用して質量ずれ量を算出する。具体的には例えば、内部標準物質の既知の質量電荷比値を中心に所定範囲のウインドウを定め、得られたマススペクトルにおいて該ウインドウの範囲内に所定強度以上のピークが観測されたならば、それが内部標準物質由来のピークであると判断すればよい。そして、質量ずれ量が算出されたならば、その分だけマススペクトルの質量電荷比軸を補正することによって質量ずれのない（又はより少ない）マススペクトルを作成する。
【００３９】
質量校正情報収集部４３は、上述したように質量校正部４２においてマススペクトル毎、つまりは２次元クロマトグラム上のピクセル毎に得られる質量ずれ量、即ち質量補正量を収集して記憶する。これによって、２次元クロマトグラム上のピクセル総数と同じ数の質量ずれ量が求まる。そして、測定終了後に３次元表示情報作成部４４は、入力部５からの所定の入力を受けて、１次元目保持時間ＲＴ１と２次元目保持時間ＲＴ２を互いに直交する軸とし、さらにこれに直交する軸に質量補正量をとった３次元表示空間内に、質量校正情報収集部４３に記憶された質量補正量の値をプロットすることで、質量補正量の２次元分布を示す画像を作成する。そして、作成した３次元表示画像を表示部６の画面上に表示する。
【００４０】
図３はこの３次元表示画像の一例を示す図である。図３（ａ）は全てのピクセルにおいて質量補正量がゼロである、つまりは質量ずれが全くない場合の表示画像である。このときには、全てのプロットが、１次元目保持時間ＲＴ１、２次元目保持時間ＲＴ２の二軸を含む平面上に位置している。一方、図３（ｂ）は各ピクセルにおいてそれぞれ質量ずれが生じている場合の表示画像である。分析者はこうした表示を見ることで、質量ずれ量の２次元的な分布を直感的に把握することができる。
【００４１】
なお、図３では質量補正量の値をプロット点で示しているだけであるが、もちろん、こうした多数のプロット点が載るような滑らかな曲面を計算し、その曲面をプロット点と併せて表示すると、凹凸がより明確になる。
また、図３に示したような３次元表示画像は、各軸を中心に任意の角度で回転させることで任意の方向から見た状態を表示できるようにしておくことが望ましい。それによって、例えば、２次元目保持時間Ｒ２が紙面に直交するような方向から質量ずれ量の分布を眺めることで、どの１次元目保持時間ＲＴ１において質量ずれ量が最大になっているのか、といったことを一目で認識することが可能となる。
【００４２】
上記実施例では、質量電荷比のずれ量の２次元分布を表示していたが、同様にして、１次カラム、２次カラムそれぞれにおける保持時間のずれ量又は保持時間ずれの補正量の２次元分布を表示できるようにしてもよい。保持時間ずれを求めるためには、正確な保持時間が既知である複数の内部標準物質を試料に添加し、該試料を包括的２次元ＬＣ部１で成分分離して得られる溶出液を質量分析し、複数の内部標準物質がそれぞれ検出される時間を利用すればよい。この場合、或る一つの内部標準物質が検出される時間とそれに続き別の内部標準物質が検出される時間との間の時間範囲における保持時間ずれは、その両方の検出時間における保持時間ずれを利用した計算式に基づいて求まるようにすればよい。
【００４３】
また、上記実施例は包括的２次元ＬＣ−ＭＳシステムであるが、包括的２次元ＧＣ−ＭＳシステムでも全く同様の表示を行うようにすることができる。
さらにまた、包括的２次元クロマトグラフ質量分析装置ではなく、イメージング質量分析装置においても同様の質量ずれ量の２次元表示を行うようにすることができる。
【００４４】
即ち、イメージング質量分析装置では、２次元領域内を２次元的に細かく区分した微小領域毎に質量分析を実施してマススペクトルデータを取得する。したがって、図２（ａ）において保持時間を試料上の位置に読み替えた、２次元領域内の各ピクセルにおけるマススペクトルデータが得られる。通常のイメージング質量分析装置では、質量分析部と試料との相対位置を変化させながら一つずつピクセルに対する質量分析を実行するから、２次元領域全体の質量分析結果を得るには或る程度の時間が掛かる。その間に、質量ずれが変動することがあるから、全てのピクセルにほぼ満遍なく添加した内部標準物質（例えばＭＡＬＤＩ用のマトリックス）を質量ずれ検出の基準として用いることで、各ピクセルに対して得られたマススペクトルからそれぞれ質量ずれ量を求めることができる。そして、その質量ずれ量を用いて、図３に示すような質量ずれ量の３次元表示画像を作成することができる。
【００４５】
次に、本発明の第２実施例である包括的２次元ＬＣ−ＭＳシステムについて図５、図６を参照して説明する。図５はこの第２実施例の包括的２次元ＬＣ−ＭＳシステムの概略構成図、図６は第２実施例の包括的２次元ＬＣ−ＭＳシステムにおいて信号強度値差を表示する処理の説明図である。上記第１実施例は、分析の実行時に生じる誤差量やこれを補正する補正情報の二次元分布を３次元表示するものであったが、この第２実施例では分析結果である信号強度値の比較結果の２次元分布を３次元表示する。
【００４６】
図５において第１実施例と同じ構成要素には同じ符号を付してある。この第２実施例の包括的２次元ＬＣ−ＭＳシステムにおいて、データ処理部７は機能ブロックとして、ＳＩＭデータ収集部７１、信号強度値差算出部７２、及び、３次元表示情報作成部７３を含む。ここでは、目的とする試料に含まれる複数の成分が既知であり、その複数の成分に対して検出される信号強度値の差異量を観測したい場合について例を挙げて説明する。
【００４７】
質量分析装置２では、複数の成分に対応した質量電荷比をそれぞれＳＩＭ（選択イオンモニタリング）測定モードで全測定時間に亘り測定する。ここでは、複数の成分を成分Ａ、成分Ｂとし、成分Ａに対応する質量電荷比m/zをＭa、成分Ｂに対応する質量電荷比m/zをＭbとする。包括的２次元ＬＣ部１においてインジェクタから移動相中に試料を導入し、１次、２次の２段のカラムからの溶出液を質量分析装置２に導入する。そして、質量分析装置２においてＳＩＭ測定を繰り返し実行することにより、ＳＩＭデータ収集部７１にはm/z＝Ｍaとm/z＝Ｍbにおける各保持時間での信号強度値データが格納される。例えば、m/z＝Ｍaにおける各保持時間での信号強度値データに基づいて２次元クロマトグラム（マスクロマトグラム）を作成すると、例えば図６（ａ−１）に示すようになり、m/z＝Ｍbにおける各保持時間での信号強度値データに基づいて２次元クロマトグラムを作成すると、例えば図６（ａ−２）に示すようになる。
【００４８】
信号強度値差算出部７２は、成分Ａ、Ｂにそれぞれ対応する２次元クロマトグラム上のピクセル毎に得られる信号強度値の差を算出し記憶する。これによって、２次元クロマトグラム上のピクセル総数と同じ数の信号強度値差が求まる。そして、測定終了後に３次元表示情報作成部７３は、入力部５からの所定の入力を受けて、１次元目保持時間ＲＴ１と２次元目保持時間ＲＴ２を互いに直交する軸とし、さらにこれに直交する軸に信号強度値差量をとった３次元表示空間内に、信号強度値差算出部７２に記憶された信号強度値の差の値をプロットすることで、信号強度値差の２次元分布を示す画像を作成する。そして、作成した３次元表示画像を表示部６の画面上に表示する。これにより、二つの成分に対して検出された信号強度値の差と二つのカラムの保持時間との関係を視覚的に表示することができる。
【００４９】
なお、二つの成分に対して検出された信号強度値の差や比以外に、様々な情報を同様にして３次元表示することができる。例えば、異なる試料に対してそれぞれ得られたトータルイオン強度値（全質量電荷比範囲に亘る信号強度値の積算値）の差や比を同様にして表示することができる。また、質量分析によって得られた信号強度値そのものではなく、信号強度値から算出される様々な値を同様にして表示することができる。例えば、定量分析の場合には、予め求めておいた検量線などを用いて信号強度値から成分濃度や成分の含有量（絶対量）を算出するから、そうした濃度値や含有量の差や比を３次元表示するようにしてもよい。さらにまた、信号強度値や濃度値、含有量などに対し所定のアルゴリズムに従った統計的演算を実施して得られる統計量の差や比を３次元表示するようにしてもよい。そうした統計量としては、例えば、検定量、統計空間上の座標位置や距離などが考えられる。
【００５０】
第１実施例において述べたのと同様に、この第２実施例のシステムと同様の表示を、イメージング質量分析装置においても行うようにすることができる。即ち、図６（ａ−１）、（ａ−２）に示したような２次元クロマトグラムは、イメージング質量分析装置においては特定の質量電荷比に対するイメージング画像である。したがって、例えば一つの試料に対して得られた複数の異なる質量電荷比に対するイメージング画像についてピクセル毎に得られる信号強度値の和、差、積又は除をとる（つまり、加算、減算、乗算、又は除算を行う）ことで、そうした複数のイメージング画像を演算処理した結果の画像を得ることができる。
【００５１】
図７はそうしたイメージング画像の一例を示す図である。イメージング質量分析によって得られたデータに基づき、m/z ５３８のイメージング画像、m/z ８３５のイメージング画像は図７（ａ）、（ｂ）のように得られる。これに対し、ピクセル毎の信号強度値の加算、減算、乗算、及び除算を行って得られた結果に基づくイメージング画像が図７（ｃ）〜（ｆ）である。分析者は、こうしたイメージング画像から、異なる質量電荷比におけるイオンの２次元分布の相違や類似の程度を推定することができる。
【００５２】
なお、上記実施例はいずれも本発明の一例にすぎず、上記記載した以外の点において、本発明の趣旨の範囲で適宜変形、修正、追加などを行っても本願特許請求の範囲に包含されることは明らかである。
【符号の説明】
【００５３】
１…包括的２次元ＬＣ部
２…質量分析装置
３…内部標準物質添加部
４、７…データ処理部
４１…スペクトルデータ収集部
４２…質量校正部
４３…質量校正情報収集部
４４、７３…３次元表示情報作成部
７１…ＳＩＭデータ収集部
７２…信号強度値差算出部
５…入力部
６…表示部
【図１】
2016103388.tif 000003
【図２】
2016103388.tif 000004
【図３】
2016103388.tif 000005
【図４】
2016103388.tif 000006
【図５】
2016103388.tif 000007
【図６】
2016103388.tif 000008
【図７】
2016103388.tif 000009
【手続補正書】
【提出日】平成29年5月19日(2017.5.19)
【手続補正１】
【補正対象書類名】明細書
【補正対象項目名】００３２
【補正方法】変更
【補正の内容】
【００３２】
第１実施例の包括的２次元ＬＣ−ＭＳシステムは、包括的２次元ＬＣ部１、質量分析装置２、内部標準物質添加部３、データ処理部４、入力部５、及び表示部６、を備える。
データ処理部４は後述する特徴的な処理を実行するために、機能ブロックとして、スペクトルデータ収集部４１、質量較正部４２、質量較正情報収集部４３、及び、３次元表示情報作成部４４、を備える。
データ処理部４は、パーソナルコンピュータをハードウエア資源とし、そのパーソナルコンピュータに予めインストールされた専用の処理ソフトウエアを該コンピュータで実行することによりそれぞれの機能が実現されるものとすることができる。
【手続補正２】
【補正対象書類名】明細書
【補正対象項目名】００３８
【補正方法】変更
【補正の内容】
【００３８】
上述したように、質量分析の対象には内部標準物質が必ず含まれる。そのため、スキャン測定毎に得られるマススペクトルには内部標準物質由来のピークＰが現れる。何らかの要因によって測定上の質量電荷比にずれが生じる場合には、マススペクトル上で内部標準物質由来のピークＰの出現位置もずれるから、その出現位置（つまり見かけ上の質量電荷比値）と既知である真の質量電荷比値との差が質量ずれ量となる。そこで、データ処理部４において質量較正部４２は、マススペクトルが得られる毎に内部標準物質由来のピークＰの出現位置を検出し、その検出結果を利用して質量ずれ量を算出する。具体的には例えば、内部標準物質の既知の質量電荷比値を中心に所定範囲のウインドウを定め、得られたマススペクトルにおいて該ウインドウの範囲内に所定強度以上のピークが観測されたならば、それが内部標準物質由来のピークであると判断すればよい。そして、質量ずれ量が算出されたならば、その分だけマススペクトルの質量電荷比軸を補正することによって質量ずれのない（又はより少ない）マススペクトルを作成する。
【手続補正３】
【補正対象書類名】明細書
【補正対象項目名】００３９
【補正方法】変更
【補正の内容】
【００３９】
質量較正情報収集部４３は、上述したように質量較正部４２においてマススペクトル毎、つまりは２次元クロマトグラム上のピクセル毎に得られる質量ずれ量、即ち質量補正量を収集して記憶する。これによって、２次元クロマトグラム上のピクセル総数と同じ数の質量ずれ量が求まる。そして、測定終了後に３次元表示情報作成部４４は、入力部５からの所定の入力を受けて、１次元目保持時間ＲＴ１と２次元目保持時間ＲＴ２を互いに直交する軸とし、さらにこれに直交する軸に質量補正量をとった３次元表示空間内に、質量較正情報収集部４３に記憶された質量補正量の値をプロットすることで、質量補正量の２次元分布を示す画像を作成する。そして、作成した３次元表示画像を表示部６の画面上に表示する。
【手続補正４】
【補正対象書類名】明細書
【補正対象項目名】００４１
【補正方法】変更
【補正の内容】
【００４１】
なお、図３では質量補正量の値をプロット点で示しているだけであるが、もちろん、こうした多数のプロット点が載るような滑らかな曲面を計算し、その曲面をプロット点と併せて表示すると、凹凸がより明確になる。
また、図３に示したような３次元表示画像は、各軸を中心に任意の角度で回転させることで任意の方向から見た状態を表示できるようにしておくことが望ましい。それによって、例えば、２次元目保持時間ＲＴ２が紙面に直交するような方向から質量ずれ量の分布を眺めることで、どの１次元目保持時間ＲＴ１において質量ずれ量が最大になっているのか、といったことを一目で認識することが可能となる。
【手続補正５】
【補正対象書類名】明細書
【補正対象項目名】００５３
【補正方法】変更
【補正の内容】
【００５３】
１…包括的２次元ＬＣ部
２…質量分析装置
３…内部標準物質添加部
４、７…データ処理部
４１…スペクトルデータ収集部
４２…質量較正部
４３…質量較正情報収集部
４４、７３…３次元表示情報作成部
７１…ＳＩＭデータ収集部
７２…信号強度値差算出部
５…入力部
６…表示部
【手続補正６】
【補正対象書類名】図面
【補正対象項目名】図１
【補正方法】変更
【補正の内容】
【図１】
2016103388.tif 000010
【国際調査報告】
2016103388.tif 000011
2016103388.tif 000012
2016103388.tif 000013
2016103388.tif 000014